(57)【要約】【課題】挟持対象となる部材を引く際に強い力を瞬発的に付与し得る構成を、ユーザの負担を増大させにくい形で実現する。【解決手段】引き抜き工具１に、固定ピンＰを挟持した状態を外力なしで維持し得る挟持具１０と、軸状に構成されるとともに挟持具１０に着脱される着脱部６７が軸方向一端側に設けられた軸部材６０と、軸部材６０の軸方向に移動自在な状態で軸部材６０に支持されるスライド部材７０と、を有するスライドハンマ５０と、設け、軸部材６０に、スライド部材７０が着脱部６７から離れる方向に所定位置まで移動したときにスライド部材７０と接触しつつスライド部材７０の移動を規制する規制部６６を設ける。【選択図】図３
2019126871.tif 000002
【特許請求の範囲】
【請求項１】
外部からの操作に応じて、挟持対象部材を挟持した状態で維持するロック状態と、前記ロック状態が解除された解除状態とに切り替わる挟持具と、前記挟持具に着脱されるスライドハンマと、を備え、
前記スライドハンマは、
筒状に構成されたスライド部材と、
軸状に構成されるとともに前記スライド部材に挿入され且つ前記スライド部材をスライド可能に支持する支持軸と、前記支持軸の軸方向一端側に配置され且つ前記挟持具に着脱される着脱部と、前記支持軸の軸方向他端側に配置される規制部と、を備え、前記支持軸と前記着脱部と前記規制部とが一体的に連結されて軸状の形態をなす軸部材と、
を有し、
前記スライド部材が前記支持軸に対して前記軸方向他端側の所定位置まで相対移動したときに前記規制部に衝突し、前記軸部材において前記挟持具を前記軸方向他端側に引く力が生じる工具。
【請求項２】
外部からの操作に応じて、挟持対象部材を挟持した状態で維持するロック状態と、前記ロック状態が解除された解除状態とに切り替わる構成をなす挟持具に着脱されるスライドハンマであって、
筒状に構成されたスライド部材と、
軸状に構成されるとともに前記スライド部材に挿入され且つ前記スライド部材をスライド可能に支持する支持軸と、前記支持軸の軸方向一端側に配置され且つ前記挟持具に着脱される着脱部と、前記支持軸の軸方向他端側に配置される規制部と、を備え、前記支持軸と前記着脱部と前記規制部とが一体的に連結されて軸状の形態をなす軸部材と、
を有し、
前記スライド部材が前記支持軸に対して前記軸方向他端側の所定位置まで相対移動したときに前記規制部に衝突し、前記軸部材において前記挟持具を前記軸方向他端側に引く力が生じるスライドハンマ。
【発明の詳細な説明】
【技術分野】
【０００１】
本発明は、工具及びスライドハンマに関するものである。
【背景技術】
【０００２】
従来、釘等の部材を引き抜く際に用いられる工具として、例えば特許文献１に示すようなロッキングプライヤ等の挟持具が知られている。この挟持具は、ペンチのような形状をなしており、ユーザが挟持具のハンドルを握ると部材を挟み込み、ユーザがハンドルを離した後も、部材を挟み込んだままのロック状態とすることができる。このロック状態とすれば、ユーザが部材を引き抜いた後に力を緩めてしまっても挟持されたままとなるので、その引き抜いた部材が挟持具から離れて紛失してしまうのを防止することができる。
【先行技術文献】
【特許文献】
【０００３】
【特許文献１】特開２０１０−４６７９３号公報
【発明の概要】
【発明が解決しようとする課題】
【０００４】
しかし、特許文献１で開示される挟持具（ロッキングプライヤ）は、挟持対象となる部材を引く際に、引く方向に強い力を瞬発的に加えるような操作を行いにくいため、挟持対象となる部材を極めて強い力で引き抜かなければならないような場面（例えば摩擦力が強い状態で挿入されているピンを引き抜くような場面）では採用しにくいという問題があった。
【０００５】
本発明は、上述した課題の少なくとも一つを解決するためになされたものであり、挟持対象となる部材を引く際に強い力を瞬発的に付与し得る構成を、ユーザの負担を増大させにくい形で実現することを目的とする。
【課題を解決するための手段】
【０００６】
本発明の１つの例である工具は、外部からの操作に応じて、挟持対象部材を挟持した状態で維持するロック状態と、前記ロック状態が解除された解除状態とに切り替わる挟持具と、前記挟持具に着脱されるスライドハンマと、を備え、前記スライドハンマは、筒状に構成されたスライド部材と、軸状に構成されるとともに前記スライド部材に挿入され且つ前記スライド部材をスライド可能に支持する支持軸と、前記支持軸の軸方向一端側に配置され且つ前記挟持具に着脱される着脱部と、前記支持軸の軸方向他端側に配置される規制部と、を備え、前記支持軸と前記着脱部と前記規制部とが一体的に連結されて軸状の形態をなす軸部材と、を有し、前記スライド部材が前記支持軸に対して前記軸方向他端側の所定位置まで相対移動したときに前記規制部に衝突し、前記軸部材において前記挟持具を前記軸方向他端側に引く力が生じる。
【０００７】
本発明の１つの例であるスライドハンマは、外部からの操作に応じて、挟持対象部材を挟持した状態を維持するロック状態と、前記ロック状態が解除された解除状態とに切り替わる構成をなす挟持具に着脱されるスライドハンマであって、筒状に構成されたスライド部材と、軸状に構成されるとともに前記スライド部材に挿入され且つ前記スライド部材をスライド可能に支持する支持軸と、前記支持軸の軸方向一端側に配置され且つ前記挟持具に着脱される着脱部と、前記支持軸の軸方向他端側に配置される規制部と、を備え、前記支持軸と前記着脱部と前記規制部とが一体的に連結されて軸状の形態をなす軸部材と、を有し、前記スライド部材が前記支持軸に対して前記軸方向他端側の所定位置まで相対移動したときに前記規制部に衝突し、前記軸部材において前記挟持具を前記軸方向他端側に引く力が生じる。
【発明の効果】
【０００８】
本発明の工具は、ユーザが当該工具を用いて挟持対象部材を挟持するように操作し、更にロック状態に切り替えるように操作すれば、ユーザが挟持具を強く握り続けなくても、挟持具は、挟持対象部材を挟持した状態を維持する。この状態で、スライドハンマに設けられたスライド部材を着脱部から離れる方向に移動させると、スライド部材が支持軸に対して軸方向他端側の所定位置まで相対移動したときに規制部に衝突し、軸部材において挟持具を軸方向他端側に引く力が生じる。特に、スライド部材が規制部に衝突するときの衝突力が大きいほど、挟持対象部材に対してより大きな力を瞬発的に付与することができるため、ユーザはスライド部材の移動を調整することで挟持対象部材をより強く引くことができるようになる。
しかも、本発明の工具は、スライド部材の移動速度や規制部に衝突させるときの力をユーザが自在に調整しやすい構成であるため、ユーザはスライド部材の移動を加減することで、挟持対象部材に加える力（引く力）を非常に強い力から弱い力まで広い範囲にわたって自在に調整し得る。
更に、スライド部材によって強い力を加えた後でも、挟持具によって挟持対象部材が挟持され続ける構成であるため、強い力を加えた時の衝撃で挟持対象部材が飛んでしまうような事態が生じにくく、部材の紛失を効果的に防止し得る。
また、挟持具を着脱し得る構成であるため、様々な種類の挟持具に交換することが可能となり、様々な大きさの挟持対象部材に対応しやすくなる。
【０００９】
本発明のスライドハンマによれば、本発明の引き抜き工具と同様の効果を奏することができる。
【図面の簡単な説明】
【００１０】
【図１】挟持具にスライドハンマを連結させる前の状態における引き抜き工具の側面図である。
【図２】挟持具にスライドハンマを連結させた後の状態における引き抜き工具の側面図である。
【図３】引き抜き工具を用いて部材を引き抜く様子を示した説明図であり、（Ａ）は引き抜き対象となる部材を把持する前の状態を示した図であり、（Ｂ）は引き抜き対象となる部材を把持した状態を示した図であり、（Ｃ）は部材を引き抜いた状態を示した図である。
【発明を実施するための形態】
【００１１】
＜実施例１＞
以下、本発明を具体化した実施例１を図１〜図３を参照して説明する。以下の説明では、軸部材６０の軸方向を前後方向とし、挟持具１０側を前方とし、規制部６６側を後方とする。また、前後方向と直交する方向のうち、可動ハンドル３２の回動軸の方向を左右方向とする。
【００１２】
本実施例１の引き抜き工具１は、図１及び図２に示すように、挟持具１０と、スライドハンマ５０と、を備えてなる。
【００１３】
挟持具１０は、引き抜き対象となる部材を挟持するとともに、挟持したままの状態を維持し得る工具であり、例えばロッキングプライヤである。挟持具１０は、引き抜き対象となる部材を挟持する挟持部２０と、ユーザが把持する挟持具側把持部３０と、を備えてなる。
【００１４】
挟持部２０は、固定顎２２と、可動顎２４と、を備えてなる。固定顎２２及び可動顎２４は上下に配置され、互いに対向する面が、部材を挟持する挟持面２３，２５を構成している。各挟持面２３，２５には、左右方向に延びる複数の溝が形成されている。挟持部２０は、これら固定顎２２及び可動顎２４が口を開閉するようにして動作し、開いた口が閉じるようにして物を挟み込む。
【００１５】
挟持具側把持部３０は、固定ハンドル３１と可動ハンドル３２とを備えている。固定ハンドル３１は、金属板を折り曲げて下方に開放した形状をなしており、前後方向に長い。固定ハンドル３１は、第１ピン４１を介して固定顎２２の後端部（挟持面２３よりも後方の部分）に固定されている。
【００１６】
可動顎２４は、後端部（挟持面２５よりも後方の部分）が、第２ピン４２を介して、固定ハンドル３１に連結されている。可動顎２４は、第２ピン４２を軸として回動自在である。なお、可動顎２４は、固定ハンドル３１でなく、固定顎２２に連結させてもよい。
【００１７】
可動ハンドル３２は、金属板を折り曲げて上方に開放した形状をなす。可動ハンドル３２は、前後方向に長く、上側に張り出すように反った形状をなしている。可動ハンドル３２の前端部は、第３ピン４３を介して、可動顎２４の後端部に連結されている。より詳しくは、可動ハンドル３２の前端部は、可動顎２４の後端部における固定ハンドル３１との連結部分（第２ピン４２）よりも下方の位置で可動顎２４に連結されている。可動ハンドル３２は、第３ピン４３を軸として回動自在である。
【００１８】
挟持具側把持部３０は、リンク３５を備える。リンク３５は一方向に長い平板状をなす。リンク３５の一端は、第４ピン４４を介して可動ハンドル３２に連結された固定端となっている。リンク３５は、可動ハンドル３２における可動顎２４との連結部分（第３ピン４３）よりも後方の位置で可動ハンドル３２に連結されている。リンク３５は、第４ピン４４を軸として回動自在である。リンク３５の他端は、自由端となっており、リンク３５の固定端よりも後方に配置され固定ハンドル３１の内側上面に当接した状態で後方への移動が後述の調整ネジ４７によって規制されている。このため、可動ハンドル３２は、固定ハンドル３１に接近すると、リンク３５によって前方に押され、第３ピン４３を介して可動顎２４を前方に押す。前方に押された可動顎２４は、第２ピン４２を軸として図面手前側から見て時計回りの方向に回動して、前端部が固定顎２２に接近し、挟持部２０の口を閉じるように動作する。
【００１９】
挟持具側把持部３０は、弾性部材としてのバネ３６を備える。バネ３６は、引張方向に弾性力を付与する。バネ３６は、一端が可動顎２４における固定ハンドル３１との連結部分よりも下方の位置で可動顎２４に固定され、他端が一端よりも後方の位置で固定ハンドル３１に固定されている。このため、バネ３６は、可動顎２４に対し、第２ピン４２を軸として図面手前側から見て反時計回りの方向に弾性力を付与するので、挟持部２０の口を開き、可動ハンドル３２の後端部が固定ハンドル３１から離れるように弾性力を付与する。
【００２０】
挟持具側把持部３０は、リリースレバー３７を備える。リリースレバー３７は、可動ハンドル３２の上面側において、第５ピン４５を介して可動ハンドル３２に連結されている。リリースレバー３７は、可動ハンドル３２におけるリンク３５との連結部分（第４ピン４４）よりも後方の位置で連結されている。リリースレバー３７は、第５ピン４５を軸として回動自在である。リリースレバー３７の後端部は、可動ハンドル３２の後端部よりも後方に突出している。リリースレバー３７は、挟持部２０が部材を挟持した状態で、固定ハンドル３１と可動ハンドル３２との間隔が所定間隔まで縮まると、リンク３５と係止される。すなわち、挟持具１０が部材を挟持したままの状態を維持するロック状態となる。このため、挟持具側把持部３０が把持されなくなって挟持具側把持部３０（挟持具１０）に外力が付与されなくなった後も、挟持部２０は部材を挟持したままとなる。このロック状態で、リリースレバー３７が、第５ピン４５を軸として、図面手前側から見て反時計周りの方向に回動すると、リンク３５と係止された状態（ロック状態）が解除される。その結果、可動ハンドル３２が固定ハンドル３１から離れる方向に移動して、挟持部２０の口が開く。したがって、リンク３５及びリリースレバー３７は、挟持部２０が部材を挟持した状態を外力なしで維持するロック手段として機能するとともに、ロック状態を解除する解除手段として機能する。このように、ロック状態が解除され、挟持部２０の口が開きうる状態が「解除状態」の一例に相当する。
【００２１】
挟持具１０は、調整ネジ４７を備えている。調整ネジ４７は、固定ハンドル３１の後端部に形成されたネジ孔（図示省略）にねじ込まれる。調整ネジ４７の前端部は、リンク３５の自由端の後端部に当接し、リンク３５の後方への移動を規制する。また、調整ネジ４７の固定ハンドル３１へのねじ込み具合に応じて、リンク３５の自由端の位置が前後方向に移動する。その結果、可動顎２４の可動範囲が変化し、挟持部２０が挟持することが可能な部材の大きさが変化する。挟持具１０は、ナット４８を備えている。ナット４８は、調整ネジ４７の後端部（ネジ頭）に固定される。
【００２２】
スライドハンマ５０は、金属製であり、軸部材６０と、スライド部材７０と、を備えてなる。軸部材６０は、後述する支持軸６５と着脱部６７と規制部６６とが一体的に連結されて軸状の形態をなす部材である。軸部材６０は、軸状の第１軸部材６１及び第２軸部材６２と、第１軸部材６１及び第２軸部材６２を軸方向に連結させる抜止部材６３と、を備える。抜止部材６３は、円筒形状をなす。抜止部材６３の内径は、第１軸部材６１の直径及び第２軸部材６２の直径よりも僅かに大きい。抜止部材６３の内周面は、雌ねじ状のねじ溝形状でねじ切りされている。
【００２３】
第１軸部材６１（軸部材６０）の前端部には着脱部６７が形成されている。着脱部６７は、支持軸６５よりも軸方向一端側に配置され部材であり、挟持具１０の後端部に着脱自在に固定される部材である。着脱部６７は、雄ねじ状のねじ溝形状で外周面がねじ切りされており、挟持具１０のナット４８にねじ込まれることで、挟持具１０に固定される。第１軸部材６１の後端部の外周面は、雄ねじ状のねじ溝形状でねじ切りされている。第１軸部材６１は、第１軸部材６１の後端部を抜止部材６３の前端部にねじ込むことで、抜止部材６３に連結される。
【００２４】
第２軸部材６２は、支持軸６５と、規制部６６と、を備えてなる。支持軸６５は、軸状に構成されるとともにスライド部材７０に挿入され且つスライド部材７０をスライド可能に支持する機能を有する。支持軸６５は、前端部の外周面に雄ねじ状のねじ溝が形成されている。第２軸部材６２は、支持軸６５の前端部を抜止部材６３の後端部にねじ込むことで、抜止部材６３に連結される。規制部６６は、支持軸６５の軸方向他端側（後端側）に配置される部分であり、具体的には、支持軸６５（第２軸部材６２、軸部材６０）の後端部において支持軸６５と一体的に形成され、支持軸６５の外周面よりも径方向外側に突出した形状（例えば円板状）をなす。規制部６６は、スライド部材７０が着脱部６７から離れる方向に所定位置まで移動したときに接触して、スライド部材７０の後方への移動を規制する。
【００２５】
スライド部材７０は、例えば分銅であり、筒状（具体的には円筒状）をなしている。スライド部材７０の内径は、第２軸部材６２の支持軸６５の外径よりも大きく、規制部６６の外径よりも小さく、抜止部材６３の外径よりも小さい。スライド部材７０は、ハンマ側把持部７１と、拡径部７２と、を備えてなる。ハンマ側把持部７１は、ユーザが把持する部分であり、スライド部材７０の後端部を除く大部分を構成している。ハンマ側把持部７１には、周方向に沿って円環状に形成された複数の溝部７３が形成されている。拡径部７２は、ハンマ側把持部７１の後端部に連続しており、スライド部材７０の後端部を構成している。拡径部７２の外径は、ハンマ側把持部７１の外径よりも大きい。
【００２６】
スライド部材７０は、第２軸部材６２の前方から第２軸部材６２に挿入されることで、軸部材６０の軸方向に移動自在な状態で軸部材６０に支持される。そして、スライド部材７０は、第２軸部材６２の前端部に抜止部材６３が連結されると、抜止部材６３によって前方への抜けが防止される。さらに、抜止部材６３の前端部に、第１軸部材６１が連結されることで、スライドハンマ５０が組み立てられる。このスライドハンマ５０を挟持具１０に組み付けることで、図２に示すように、引き抜き工具１が完成する。
【００２７】
続いて、引き抜き工具１の使用例及びその効果について説明する。図３には、金型Ｍを台座Ｔに固定した固定ピンＰを引き抜く様子が示されている。なお、固定ピンＰが本発明の「挟持対象部材」の一例に相当する。
【００２８】
図３（Ａ）では、挟持具１０にスライドハンマ５０が連結されている。挟持具１０は、口が開いた状態となっており、まだ固定ピンＰを挟持していない。挟持具１０の挟持具側把持部３０が把持されて、挟持部２０が固定ピンＰを挟持し、固定ハンドル３１と可動ハンドル３２との間隔が所定間隔まで縮まると、図３（Ｂ）に示すように、ロック状態となる。
【００２９】
このロック状態において、ユーザは、スライド部材７０のハンマ側把持部７１を把持してスライド部材７０を着脱部６７から離れる方向に引っ張る。ハンマ側把持部７１には溝部７３が形成されているので、手が滑りにくい。また、ハンマ側把持部７１の後端部には、拡径部７２が設けられているので、後方へ移動する手が引っ掛かりやすく、荷重がかかりやすい。ユーザがスライド部材７０を着脱部６７から離れる方向に勢いよく引っ張ると、スライド部材７０は加速した状態で規制部６６に接触し、移動が規制される。これにより、固定ピンＰを引き抜く方向に瞬発的に大きな力が働くので、図３（Ｃ）のように、この力によって固定ピンＰを引き抜くことができる。このため、挟持具１０をそのまま引っ張って部材を引き抜く場合と比較して、部材を引き抜く負担を軽減することができる。
【００３０】
特に、本実施例１では、挟持具１０（引き抜き工具１）が固定ピンＰを挟持した状態において、固定ピンＰとスライドハンマ５０の軸部材６０とが略同軸状となっている。換言すると、スライドハンマ５０の軸部材６０は、固定ピンＰを後方に仮想的に延長した延長線上に概ね沿って延びている。このため、スライド部材７０が接触することで規制部６６にかかる力が略全て固定ピンＰを引き抜く力に変換されるので、固定ピンＰの軸と軸部材６０の軸とがずれている場合と比較して小さい力で引き抜くことができる。また、固定ピンＰが嵌まり込んだ方向と直交する方向に力がかかることで、固定ピンＰが金型Ｍに押し付けられて折れてしまったり、金型Ｍを損傷させたりすることを防止できる。
【００３１】
さらに、固定ピンＰが引き抜かれた後も挟持具１０は固定ピンＰを挟持したままとなっているので、固定ピンＰが紛失することも防止できる。以上のように、本実施例１の引き抜き工具１は、引き抜いた固定ピンＰの紛失を防止しつつ、固定ピンＰを引き抜く負担を軽減することができる。また、挟持具１０をスライドハンマ５０に対して着脱することができるので、挟持具１０の種類を交換することで、様々な大きさの部材を挟持して、引き抜くことが可能となる。
【００３２】
＜他の実施例＞
本発明は上記記述及び図面によって説明した実施例に限定されるものではなく、例えば次のような例も本発明の技術的範囲に含まれる。また、上述した実施例の特徴や後述する実施例の特徴は矛盾しない範囲で様々に組み合わせることが可能である。
【００３３】
上述した実施例では、挟持具（引き抜き工具）が固定ピンを挟持した状態において、スライドハンマの軸部材が固定ピンと同軸状となるようにした。しかし、スライドハンマの軸部材は固定ピンの後方に延びるものであれば同軸状でなくてもよく、例えば、固定ピンと軸がずれていてもよいし、固定ピンの斜め後方に延びるものであってもよい。
【符号の説明】
【００３４】
１…引き抜き工具（工具）、１０…挟持具、５０…スライドハンマ、６０…軸部材、６５…支持軸、６６…規制部、６７…着脱部、７０…スライド部材、Ｐ…固定ピン（挟持対象部材）
【図１】
2019126871.tif 000003
【図２】
2019126871.tif 000004
【図３】
2019126871.tif 000005